(57)【特許請求の範囲】
【請求項１】
妻壁に接合する板状体の破風板部（１１）の下端部に適宜な傾斜角で下り傾斜状に折れた水切部（１２）を設け、この水切部（１２）の下端部に、水切部（１２）の下端から下方へ折れ曲がり、先端を前記破風板部（１１）側へ折り返してなる鉤状の係合部（１３）を設けて一体に形成されており、前記係合部（１３）を鼻隠部材（２１）に取り付けられた内吊金具（２３）の係止部（２３ａ）に係止させて妻壁に取り付けられ、破風表面を伝い落ちる雨水を水切部（１２）から樋（４１）内へと誘導するようになした破風構成体。
【発明の詳細な説明】
【０００１】
【発明の属する技術分野】
本発明は、妻壁に取り付けられ、破風を構成する破風構成体に関する。
【０００２】
【従来の技術】
従来、家屋の妻壁、なかでも本屋の外壁に接して設けられた片流れの屋根（以下、この屋根を「下屋」という。）の妻壁には、軒先と同様に、樋を取り付け、樋によって雨水を地表に排水するように構成したものがあった。
図６は、この種の妻壁における樋取付構造の一例を示したものであり、家屋の下屋の妻壁を構成するパネル材１００の外面に破風を構成する破風板体１０１を取り付けるとともに、破風板体１０１の下部に鼻隠部材１０２を取り付け、鼻隠部材１０２に樋吊着部材１０３を適宜間隔を置いて取り付け、この樋吊着部材１０３に上部を開口した断面略コの字状の樋１０４を吊着してある。
【０００３】
ここで、破風板体１０１の下端部には破風板体１０１及び鼻隠部材１０２の上端部に沿うように折曲するとともに、先端部が樋１０４上部に位置するように構成した水切部材１０５を取り付け、破風板体１０１に付着し、下方に流れ落ちる雨水を樋１０４内に誘導するようにしてあった。
【０００４】
しかし、破風板体１０１と水切部材１０５との当接部１０６には僅かに隙間が生じてしまい、防水性が完全ではないため、破風板体１０１を流れ落ちる雨水の一部は、樋１０４内に流れ込まずに、当接部１０６に生じた僅かな間隙を伝って下方へ流れ落ちてしまうという問題があった。
【０００５】
また、破風板体１０１と水切部材１０５を妻壁に取り付ける場合、それぞれ別工程として施工しなければならず、それらの取り付けに時間を要し、しかも、当接部１０６の防水性に完全を期すため、当接部１０６にシール材を塗布しようとすれば、施工に更に時間を要するとともに、施工作業が面倒なものとなってしまう問題があった。
【０００６】
【発明が解決しようとする課題】
そこで、本発明は、かかる問題点に鑑みてなされたものであり、その目的とするところは、破風を構成する破風構成体と雨水を樋内へ誘導する水切部材との当接部の防水性を完全とするとともに、両部材を短時間で簡単に妻壁に取り付けることができる破風構成体を提供することにある。
【０００７】
【課題を解決するための手段】
本発明の破風構成体は、妻壁に接合する板状体の破風板部の下端部に適宜な傾斜角で下り傾斜状に折れた水切部を設け、この水切部の下端部に、水切部の下端から下方へ折れ曲がり、先端を前記破風板部側へ折り返してなる鉤状の係合部を設けて一体に形成されており、前記係合部を鼻隠部材に取り付けられた内吊金具の係止部に係止させて妻壁に取り付けられ、破風表面を伝い落ちる雨水を水切部から樋内へと誘導するようになしたものである。
【０００８】
かかる構成を有する破風構成体によれば、雨水を樋内に誘導する水切部が破風を構成する板状体と一体に形成されているので、水漏れを起こすことがなく防水性に完全を期すことができ、かつ部品点数を減らすことができるので、短時間で簡単に取り付けることができる。
【００１０】
【発明の実施の形態】
以下、本発明を一実施例として示した図面によって説明する。
図１は本発明に係る破風構成体の一例を示す、（Ａ）は斜視図、（Ｂ）は正面図、（Ｃ）は側面図、図２は図１の破風構成体を取り付ける部位の一例を示す家屋の斜視図、図３は図１の破風構成体を用いて構成する樋取付構造の一例を示す分解斜視図、図４は図１の破風構成体の取付手順を示す断面図、図５は図３の樋取付構造の断面図である。
【００１１】
本発明に係る破風構成体１は、図２及び図３に示すように、例えば家屋６の下屋７の側端部７ａに配設される樋取付構造８を構成する部材の一であって、図１に示すように、例えば表面に塩化ビニル樹脂膜を被覆した鋼板（いわゆる塩ビ鋼板）等の板状の金属材を板金加工し、或いは板状に成形した合成樹脂材から形成してなり、妻壁に取り付けられて破風を構成するとともに、その破風表面を伝って落下する雨水を樋内に誘導するための部材であって、妻壁の形状に略合致する形状を有し、破風を構成する破風板部１１と、この破風板部１１の下端部に形成された水切部１２と、この水切部１２の下端部に形成された係合部１３とから構成される。
【００１２】
水切部１２は、破風板部１１の下端に連接し、適宜傾斜角を有する下り傾斜状になるように、かつその先端部が後述する上部を開口した断面略コの字状の樋４２の上部に位置するように一側に折曲して形成してある。
ここで、前記水切部１２の傾斜角は、好ましくは後述する破風構成体１を用いて構成する樋取付構造８における鼻隠部材２１の上端部２１ａの傾斜角と略同一となるように形成するのが好ましい。
【００１３】
係合部１３は、図１（Ａ）及び（Ｃ）に示すように、水切部１２の下り傾斜状の先端を下方に折曲するとともにその先端を破風板部１１側に折曲し、鼻隠部材２１に適宜間隔を置いて取付けられた内吊金具２３に係止可能な鉤状に形状してある。
【００１４】
破風板部１１と水切部１２との間は、破風構成体１を妻壁に取り付ける場合に、その寸法及び取付誤差を吸収し、かつ取付強度を向上させるため、下り傾斜状に形成して誤差吸収部１４としてある。
【００１５】
また、破風板部１１の上部には、上端に沿って貫通孔１５を適宜間隔を置いて穿孔してある。
【００１６】
以下、破風構成体１を用いて構成する樋取付構造８について説明する。樋取付構造８は、図２及び図３に示すように、家屋６の下屋７の側端部７ａにおいて、妻側から軒側に亘って形成される樋の取り付け構造であって、妻壁に取り付けられる破風構成体１及び鼻隠部材２１と、鼻隠部材２１に適宜間隔を置いて取り付られ、上部にその先端をＬ字型に折曲した破風構成体係止部２３ａを有する内吊金具２３と、この内吊金具２３に係止される樋吊着部材３と、樋吊着部材３に吊着される樋４１と、樋４１の軒先方の端部とは反対側の端部を遮蔽する樋止まり部材４４と、軒先に取り付けられる水切板５１及び鼻隠部材２２と、鼻隠部材２２に適宜間隔を置いて取り付けた内吊金具２３と、この内吊金具２３に係止される樋吊着部材３と、樋吊着部材３に吊着される樋４２と、下屋７の出隅部に取り付けられ、破風構成体１と水切板５１を連接する出隅水切部材５２と、鼻隠部材２１と鼻隠部材２２とを連接する出隅鼻隠部材２４と、樋４１と樋４２とを連接する出隅樋４３とから構成してある。
【００１７】
この樋取付構造８の施工手順を以下に述べる。
先ず、図３に示すように、適宜間隔を置いて内吊金具２３を固着した鼻隠部材２１の軒先方の端部を出隅鼻隠部材２４に差し込んで両部材を取り付けるとともに、図５に示すように、鼻隠部材２１の当接部２１ｂを妻壁を構成する袖パネル部材７１の下部に当接させて釘等の固着具９１により鼻隠部材２１を袖パネル部材７１に固着し、続いて軒側の鼻隠部材２２の妻側の端部を出隅鼻隠部材２４に差込み、軒先前面板７２に沿わせて固着具により鼻隠部材２２を軒先前面板７２に固着する。
【００１８】
次に、図４に示すように、内吊金具２３の破風構成体係止部２３ａに破風構成体１の係合部１３を係止するとともに、破風板部１１を袖パネル部材７１に沿わせて貫通孔１５に挿通した釘等の固着具９２により破風構成体１を袖パネル材７１に固着し、続いて軒先側の水切板５１の一端を内吊金具２３に係止するとともに他端を下屋７に固着した後、出隅水切部材５２を破風構成体１及び水切板５１の側端部を覆うように出隅部に取り付ける。
【００１９】
このあと、図３及び図５に示すように、両鼻隠部材２１、２２の内吊金具２３にそれぞれ樋吊着部材３を係止するとともに、妻側の樋吊着部材３には樋４１を、軒側の樋吊着部材３には樋４２をそれぞれ吊着し、出隅部には出隅樋４３を嵌装し、樋４１の軒先方の端部とは反対側の端部に樋止まり部材４４を装着すればよい。
【００２０】
なお、本実施例において、破風構成体１を用いて構成した樋取付構造８は、下屋７の妻壁において構成したが、本発明はこれに限定されるものでなく、切妻、半切妻等の屋根を有する家屋の妻壁において好適に構成することができる。
【００２１】
【発明の効果】
本発明に係る破風構成体１によれば、雨水を樋４１内に誘導する水切部１２が破風を構成する破風板部１１と一体に形成されているので、水漏れを起こすことがなく、防水性に完全を期すことができる。
また、破風板部１１と水切部１２とを一体化したことにより部品点数を削減することができるので、施工時間の短縮化を図ることができる。
【００２２】
更に、前記水切部１２の下端に内吊金具２３との係合部１３を形成したから、破風構成体係止部２３ａに係合部１３を係止しつつ、破風板部１１を袖パネル部材７１に沿わせることにより、破風構成体１を袖パネル材７１に簡単かつ正確に取り付けることができるとともに、その取付けを強固なものとすることができる。
【図面の簡単な説明】
【図１】本発明に係る破風構成体の一例を示す、（Ａ）は斜視図、（Ｂ）は正面図、（Ｃ）は側面図である。
【図２】図１の破風構成体を取り付ける部位の一例を示す家屋の斜視図である。
【図３】図１の破風構成体を用いて構成する樋取付構造の一例を示す分解斜視図である。
【図４】図１の破風構成体の取付手順を示す断面図である。
【図５】図３の樋取付構造のV-V断面図である。
【図６】従来の樋取付構造を示す断面図である。
【符号の説明】
１    破風構成体
１１  破風板部
１２  水切部
１３  係合部
１４  誤差吸収部
１５  貫通孔
２１、２２    鼻隠部材
２１ａ  上端部
２１ｂ  当接部
２３  内吊金具
２３ａ  破風構成体係止部
２４  出隅鼻隠部材
３    樋吊着具
４１、４２    樋
４３  出隅樋
４４  樋止まり部材
５１  水切板
５２  出隅水切部材
７１  袖パネル部材
７２  軒先前面板
７ａ  側端部
８    樋取付構造
９１、９２  固着具
【図１】
0003875819.tif 000002
【図２】
0003875819.tif 000003
【図３】
0003875819.tif 000004
【図４】
0003875819.tif 000005
【図５】
0003875819.tif 000006
【図６】
0003875819.tif 000007